(57)【要約】【課題】本発明は制御しやすい自撮り棒を開示した。【解決手段】伸縮ロッドを含み、前記伸縮ロッドがハンドルを含み、前記ハンドルの中には上方に開口したスライドロッドチャンバが設けられ、前記スライドロッドチャンバの中には第一スライドロッドがスライドできるように取付けられ、前記第一スライドロッドの中には下方に開口したバネチャンバが設けられ、本発明は手動で伸縮機能又は翻転機能を選択でき、わざわざ調整しなくても便利に伸縮する距離を制御でき、しかもスクリーンを通じて携帯画面を見られ、遠くにいてもスクリーンを通じて撮影効果を確認でき、宣伝価値がある。【選択図】図１
2020160416.tif 000002
【特許請求の範囲】
【請求項１】
伸縮ロッドを含み、前記伸縮ロッドがハンドルを含み、前記ハンドルの中には上方に開口したスライドロッドチャンバが設けられ、前記スライドロッドチャンバの中には第一スライドロッドがスライドできるように取付けられ、前記第一スライドロッドの中には下方に開口したバネチャンバが設けられ、前記第一スライドロッドの外側には四つのスライドロッドスリーブがスライドできるように取付けられ、前記第一スライドロッドの左右両側の端面には一番内側の前記スライドロッドスリーブと相対的にスライドするリミットブロックＡが対称的に取付けられ、一番外側の前記スライドロッドスリーブの左右両側の端面にはリミットブロックＢが取付けられ、一番外側の前記スライドロッドスリーブの外側には回転スリーブがスライドできるように取付けられ、前記回転スリーブの中には前記リミットブロックＢと相対的にスライドするリミット溝が設けられ、前記ハンドルの中には前記回転スリーブの回転を制御する回転部品が設置され、前記回転部品が固定チャンバを含み、前記固定チャンバの下方には伝動チャンバＡが設けられ、前記固定チャンバの頂壁の中には前記伝動チャンバＡの中に進入する回転軸が回転できるように取付けられ、前記回転軸には前記回転スリーブと噛み合う噛合歯車が固定的に取付けられ、前記ハンドルの中には前記スライドロッドスリーブ及び前記第一スライドロッドの伸縮を制御する縄巻き部品が設置され、前記縄巻き部品が伝動チャンバＢを含み、前記伝動チャンバＢの左右壁の間には伝動軸Ｂが回転できるように取付けられ、前記伝動軸Ｂには接続傘歯車Ｂとリールが固定的に取付けられ、前記ハンドルの中には前記噛合歯車及び前記接続傘歯車Ｂと固定でき、回転を防止する固定部品が設置され、前記固定部品が前記ハンドルの左端面の中に位置するスライド溝を含み、前記スライド溝の中にはスライドブロックがスライドできるように取付けられ、前記スライドブロックの上下端面には第二スライドロッドが固定的に取付けられ、前記ハンドルの中には前記回転部品及び前記縄巻き部品の作動を制御する駆動部品が設置され、前記駆動部品が上下対称の伸縮チャンバを含み、上下両側の前記伸縮チャンバの間にはモータが固定的に取付けられ、前記モータの上下両側の出力軸にはスプライン軸が接続され、前記スプライン軸にはスプラインスリーブがスプラインによって係合取付けられ、上下両側の前記第二スライドロッドの右端面には前記スプラインスリーブのスライドを駆動できる接続軸が固定的に取付けられることを特徴とする制御しやすい自撮り棒。
【請求項２】
前記伸縮ロッドはまた前記ハンドルの底部端面に固定的に取付けられる伝送ブロックを含み、前記伝送ブロックの底部がスクリーンと接続でき、前記第一スライドロッドの頂部端面には携帯ホルダが固定的に取付けられ、前記携帯ホルダと前記伝送ブロックとの間にはケーブルが接続され、前記ハンドルと前記携帯ホルダとの間にはイヤホンケーブルが接続され、前記ハンドルの左端面には撮影ボタンが固定的に取付けられ、前記ハンドルの右端面には右方に開口したバッテリーチャンバが設けられ、前記ハンドルの右端面には正逆翻転スイッチと始動スイッチとが固定的に取付けられ、スクリーンを通じて携帯画面を見られ、正逆翻転スイッチと始動スイッチを通じて伸縮と携帯の方向転換を制御できることを特徴とする請求項１に記載の制御しやすい自撮り棒。
【請求項３】
前記回転部品はまた前記回転軸の端面に固定的に取付けられる接続傘歯車Ａを含み、前記伝動チャンバＡの左右壁の間には伝動軸Ａが回転できるように取付けられ、前記伝動軸Ａには伝動傘歯車Ａが固定的に取付けられ、前記伝動傘歯車Ａが前記接続傘歯車Ａと噛み合い、前記縄巻き部品がまた前記バネチャンバの上下内壁の間に固定的に取付けられるバネを含み、前記バネチャンバの頂壁には引縄が固定的に接続され、前記引縄か下へ前記伝動チャンバＢの中に入って前記リールに固定的に巻き付き、前記固定部品がまた下方の前記第二スライドロッドに固定的に取付けられる固定ブロックＡを含み、前記固定ブロックＡが前記接続傘歯車Ｂと噛み合うことができ、上方の前記第二スライドロッドの右端面には接続ロッドが固定的に取付けられ、前記接続ロッドの右端面には固定ブロックＢが固定的に取付けられ、前記固定ブロックＢが前記噛合歯車と噛み合うことができ、伝動軸Ａが回転すると、第一スライドロッドと携帯ホルダが駆動されて回転し、伝動軸Ｂが回転すると、接続傘歯車Ｂとリールとが連動して回転し、リールによって引縄の繰り入れ又は繰り出しができ、スライドブロックを上へスライドさせ、固定ブロックＢが噛合歯車との噛合から離脱し、固定ブロックＡが接続傘歯車Ｂと噛み合い、スライドブロックを下へスライドさせる時、固定ブロックＡが接続傘歯車Ｂとの噛合から離脱することを特徴とする請求項１に記載の制御しやすい自撮り棒。
【請求項４】
前記駆動部品はまた前記スプラインスリーブの端面に固定的に取付けられる伝動傘歯車Ｂを含み、上方の前記伝動傘歯車Ｂが前記伝動傘歯車Ａと噛み合うことができ、下方の前記伝動傘歯車Ｂが前記接続傘歯車Ｂと噛み合うことができ、前記スプラインスリーブの外側端面には取付け環状ブロックが固定的に取付けられ、前記接続軸の右端面にはリミットリングが固定的に取付けられ、前記リミットリングが前記環状ブロックとスライドできるように係合されることができ、スライドブロックが上へスライドした後に、モータが起動して伝動傘歯車Ａ及び伝動軸Ａが回転し始め、下に移動した後、モータが起動して接続傘歯車Ｂと伝動軸Ｂとが回転し始めることを特徴とする請求項１に記載の制御しやすい自撮り棒。
【発明の詳細な説明】
【技術分野】
【０００１】
本発明は自撮り棒分野に関し、具体的には制御しやすい自撮り棒である。
【背景技術】
【０００２】
現在、自撮り棒は撮影の補助グッズとして使われており、ほとんどは手動で伸縮具合を調節する必要があったり、適当な撮影距離を見つけるまで調節を重ねたり、携帯を自動的に回転できなかったり、撮影距離が長すぎると携帯画面をよく見られなかったり、というようないろいろな不便がある。
【先行技術文献】
【特許文献】
【０００３】
【特許文献１】中国特許出願公開第１０４８７９６３８号明細書
【発明の概要】
【発明が解決しようとする課題】
【０００４】
本発明の目的は制御しやすい自撮り棒を提供し、それは上記の現在の技術中の問題を解決できる。
【課題を解決するための手段】
【０００５】
本発明は以下の技術プランを通じて実現する：本発明の制御しやすい自撮り棒は、伸縮ロッドを含み、前記伸縮ロッドがハンドルを含み、前記ハンドルの中には上方に開口したスライドロッドチャンバが設けられ、前記スライドロッドチャンバの中には第一スライドロッドがスライドできるように取付けられ、前記第一スライドロッドの中には下方に開口したバネチャンバが設けられ、前記第一スライドロッドの外側には四つのスライドロッドスリーブがスライドできるように取付けられ、前記第一スライドロッドの左右両側の端面には一番内側の前記スライドロッドスリーブと相対的にスライドするリミットブロックＡが対称的に取付けられ、一番外側の前記スライドロッドスリーブの左右両側の端面にはリミットブロックＢが取付けられ、一番外側の前記スライドロッドスリーブの外側には回転スリーブがスライドできるように取付けられ、前記回転スリーブの中には前記リミットブロックＢと相対的にスライドするリミット溝が設けられ、前記ハンドルの中には前記回転スリーブの回転を制御する回転部品が設置され、前記回転部品が固定チャンバを含み、前記固定チャンバの下方には伝動チャンバＡが設けられ、前記固定チャンバの頂壁の中には前記伝動チャンバＡの中に進入する回転軸が回転できるように取付けられ、前記回転軸には前記回転スリーブと噛み合う噛合歯車が固定的に取付けられ、前記ハンドルの中には前記スライドロッドスリーブ及び前記第一スライドロッドの伸縮を制御する縄巻き部品が設置され、前記縄巻き部品が伝動チャンバＢを含み、前記伝動チャンバＢの左右壁の間には伝動軸Ｂが回転できるように取付けられ、前記伝動軸Ｂには接続傘歯車Ｂとリールが固定的に取付けられ、前記ハンドルの中には前記噛合歯車及び前記接続傘歯車Ｂと固定でき、回転を防止する固定部品が設置され、前記固定部品が前記ハンドルの左端面の中に位置するスライド溝を含み、前記スライド溝の中にはスライドブロックがスライドできるように取付けられ、前記スライドブロックの上下端面には第二スライドロッドが固定的に取付けられ、前記ハンドルの中には前記回転部品及び前記縄巻き部品の作動を制御する駆動部品が設置され、前記駆動部品が上下対称の伸縮チャンバを含み、上下両側の前記伸縮チャンバの間にはモータが固定的に取付けられ、前記モータの上下両側の出力軸にはスプライン軸が接続され、前記スプライン軸にはスプラインスリーブがスプラインによって係合取付けられ、上下両側の前記第二スライドロッドの右端面には前記スプラインスリーブのスライドを駆動できる接続軸が固定的に取付けられる。
【０００６】
優選的には、前記伸縮ロッドはまた前記ハンドルの底部端面に固定的に取付けられる伝送ブロックを含み、前記伝送ブロックの底部がスクリーンと接続でき、前記第一スライドロッドの頂部端面には携帯ホルダが固定的に取付けられ、前記携帯ホルダと前記伝送ブロックとの間にはケーブルが接続され、前記ハンドルと前記携帯ホルダとの間にはイヤホンケーブルが接続され、前記ハンドルの左端面には撮影ボタンが固定的に取付けられ、前記ハンドルの右端面には右方に開口したバッテリーチャンバが設けられ、前記ハンドルの右端面には正逆翻転スイッチと始動スイッチとが固定的に取付けられる。
【０００７】
優選的には、前記回転部品はまた前記回転軸の端面に固定的に取付けられる接続傘歯車Ａを含み、前記伝動チャンバＡの左右壁の間には伝動軸Ａが回転できるように取付けられ、前記伝動軸Ａには伝動傘歯車Ａが固定的に取付けられ、前記伝動傘歯車Ａが前記接続傘歯車Ａと噛み合い、前記縄巻き部品がまた前記バネチャンバの上下内壁の間に固定的に取付けられるバネを含み、前記バネチャンバの頂壁には引縄が固定的に接続され、前記引縄か下へ前記伝動チャンバＢの中に入って前記リールに固定的に巻き付き、前記固定部品がまた下方の前記第二スライドロッドに固定的に取付けられる固定ブロックＡを含み、前記固定ブロックＡが前記接続傘歯車Ｂと噛み合うことができ、上方の前記第二スライドロッドの右端面には接続ロッドが固定的に取付けられ、前記接続ロッドの右端面には固定ブロックＢが固定的に取付けられ、前記固定ブロックＢは前記噛合歯車と噛み合うことができる。
【０００８】
優選的には、前記駆動部品はまた前記スプラインスリーブの端面に固定的に取付けられる伝動傘歯車Ｂを含み、上方の前記伝動傘歯車Ｂが前記伝動傘歯車Ａと噛み合うことができ、下方の前記伝動傘歯車Ｂが前記接続傘歯車Ｂと噛み合うことができ、前記スプラインスリーブの外側端面には取付け環状ブロックが固定的に取付けられ、前記接続軸の右端面にはリミットリングが固定的に取付けられ、前記リミットリングが前記環状ブロックとスライドできるように係合されることができる。
【発明の効果】
【０００９】
本発明の有益効果は：手動で伸縮機能又は翻転機能を選択でき、わざわざ調整しなくても便利に伸縮する距離を制御でき、しかもスクリーンを通じて携帯画面を見られ、遠くにいてもスクリーンを通じて撮影効果を確認でき、宣伝価値がある。
【図面の簡単な説明】
【００１０】
【図１】図１は本発明の全体構成略図である；
【図２】図２は図１のＡの拡大略図である；
【図３】図３は図１のＢの拡大略図である；
【図４】図４は図１のＣの拡大略図である；
【図５】図５は図２のＤの拡大略図である。
【発明を実施するための形態】
【００１１】
下記に図１−５を合わせて本発明について詳しく説明する；説明の便利と意思疎通を図るために、下記に記載の上下左右前後方向は図１自身の投影関係の上下左右前後方向と一致している。
【００１２】
図１−５を参照し、本発明の実施例の制御しやすい自撮り棒は、伸縮ロッド９０１を含み、前記伸縮ロッド９０１がハンドル１８を含み、前記ハンドル１８の中には上方に開口したスライドロッドチャンバ４８が設けられ、前記スライドロッドチャンバ４８の中には第一スライドロッド４５がスライドできるように取付けられ、前記第一スライドロッド４５の中には下方に開口したバネチャンバ４６が設けられ、前記第一スライドロッド４５の外側には四つのスライドロッドスリーブ５３がスライドできるように取付けられ、前記第一スライドロッド４５の左右両側の端面には一番内側の前記スライドロッドスリーブ５３と相対的にスライドするリミットブロックＡ５４が対称的に取付けられ、一番外側の前記スライドロッドスリーブ５３の左右両側の端面にはリミットブロックＢ５２が取付けられ、一番外側の前記スライドロッドスリーブ５３の外側には回転スリーブ５０がスライドできるように取付けられ、前記回転スリーブ５０の中には前記リミットブロックＢ５２と相対的にスライドするリミット溝５１が設けられ、前記ハンドル１８の中には前記回転スリーブ５０の回転を制御する回転部品９０２が設置され、前記回転部品９０２が固定チャンバ２０を含み、前記固定チャンバ２０の下方には伝動チャンバＡ２８が設けられ、前記固定チャンバ２０の頂壁の中には前記伝動チャンバＡ２８の中に進入する回転軸２４が回転できるように取付けられ、前記回転軸２４には前記回転スリーブ５０と噛み合う噛合歯車２３が固定的に取付けられ、前記ハンドル１８の中には前記スライドロッドスリーブ５３及び前記第一スライドロッド４５の伸縮を制御する縄巻き部品９０３が設置され、前記縄巻き部品９０３が伝動チャンバＢ３８を含み、前記伝動チャンバＢ３８の左右壁の間には伝動軸Ｂ４１が回転できるように取付けられ、前記伝動軸Ｂ４１には接続傘歯車Ｂ４０とリール４２が固定的に取付けられ、前記ハンドル１８の中には前記噛合歯車２３及び前記接続傘歯車Ｂ４０と固定でき、回転を防止する固定部品９０４が設置され、前記固定部品９０４が前記ハンドル１８の左端面の中に位置するスライド溝３４を含み、前記スライド溝３４の中にはスライドブロック３５がスライドできるように取付けられ、前記スライドブロック３５の上下端面には第二スライドロッド３２が固定的に取付けられ、前記ハンドル１８の中には前記回転部品９０２及び前記縄巻き部品９０３の作動を制御する駆動部品９０５が設置され、前記駆動部品９０５が上下対称の伸縮チャンバ８０を含み、上下両側の前記伸縮チャンバ８０の間にはモータ３６が固定的に取付けられ、前記モータ３６の上下両側の出力軸にはスプライン軸３７が接続され、前記スプライン軸３７にはスプラインスリーブ３１がスプラインによって係合取付けられ、上下両側の前記第二スライドロッド３２の右端面には前記スプラインスリーブ３１のスライドを駆動できる接続軸３９が固定的に取付けられる。
【００１３】
前記伸縮ロッド９０１はまた前記ハンドル１８の底部端面に固定的に取付けられる伝送ブロック１６を含み、前記伝送ブロック１６の底部がスクリーン１７と接続でき、前記第一スライドロッド４５の頂部端面には携帯ホルダ１２が固定的に取付けられ、前記携帯ホルダ１２と前記伝送ブロック１６との間にはケーブル１１が接続され、前記ハンドル１８と前記携帯ホルダ１２との間にはイヤホンケーブル１０が接続され、前記ハンドル１８の左端面には撮影ボタン１３が固定的に取付けられ、前記ハンドル１８の右端面には右方に開口したバッテリーチャンバ８１が設けられ、前記ハンドル１８の右端面には正逆翻転スイッチ１５と始動スイッチ１４とが固定的に取付けられ、スクリーン１７を通じて携帯画面を見られ、正逆翻転スイッチ１５と始動スイッチ１４を通じて伸縮と携帯の方向転換を制御できる。
【００１４】
前記回転部品９０２はまた前記回転軸２４の端面に固定的に取付けられる接続傘歯車Ａ２５を含み、前記伝動チャンバＡ２５の左右壁の間には伝動軸Ａ２７が回転できるように取付けられ、前記伝動軸Ａ２７には伝動傘歯車Ａ２６が固定的に取付けられ、前記伝動傘歯車Ａ２６が前記接続傘歯車Ａ２５と噛み合い、前記縄巻き部品９０３がまた前記バネチャンバ４６の上下内壁の間に固定的に取付けられるバネ４７を含み、前記バネチャンバ４６の頂壁には引縄４３が固定的に接続され、前記引縄４３か下へ前記伝動チャンバＢ３８の中に入って前記リール４２に固定的に巻き付き、前記固定部品９０４がまた下方の前記第二スライドロッド３２に固定的に取付けられる固定ブロックＡ４４を含み、前記固定ブロックＡ４４が前記接続傘歯車Ｂ４０と噛み合うことができ、上方の前記第二スライドロッド３２の右端面には接続ロッド２１が固定的に取付けられ、前記接続ロッド２１の右端面には固定ブロックＢ２２が固定的に取付けられ、前記固定ブロックＢ２２が前記噛合歯車２３と噛み合うことができ、伝動軸Ａ２７が回転すると、第一スライドロッド４５と携帯ホルダ１２が駆動されて回転し、伝動軸Ｂ４１が回転すると、接続傘歯車Ｂ４０とリール４２とが連動して回転し、リール４２によって引縄４３の繰り入れ又は繰り出しができ、スライドブロック３５を上へスライドさせ、固定ブロックＢ２２が噛合歯車２３との噛合から離脱し、固定ブロックＡ２２が接続傘歯車Ｂ４０と噛み合い、スライドブロック３５を下へスライドさせる時、固定ブロックＡ４４が接続傘歯車Ｂ４０との噛合から離脱する。
【００１５】
前記駆動部品９０５はまた前記スプラインスリーブ３１の端面に固定的に取付けられる伝動傘歯車Ｂ３０を含み、上方の前記伝動傘歯車Ｂ３０が前記伝動傘歯車Ａ２６と噛み合うことができ、下方の前記伝動傘歯車Ｂ３０が前記接続傘歯車Ｂ４０と噛み合うことができ、前記スプラインスリーブ３１の外側端面には取付け環状ブロック５５が固定的に取付けられ、前記接続軸３９の右端面にはリミットリング５６が固定的に取付けられ、前記リミットリング５６が前記環状ブロック５５とスライドできるように係合されることができ、スライドブロック３５が上へスライドした後に、モータ３６が起動して伝動傘歯車Ａ２６及び伝動軸Ａ２７が回転し始め、下に移動した後、モータ３６が起動して接続傘歯車Ｂ４０と伝動軸Ｂ４１とが回転し始める。
【００１６】
使用する時、携帯ホルダによって携帯を挟持し、イヤホンケーブル１０を携帯イヤホンジャックと接続させ、ケーブル１１を携帯の充電ジャックと接続させる；
【００１７】
伸縮を制御する時、下へスライドブロック３５をスライドさせ、これにより固定ブロックＡ４４が接続傘歯車Ｂ４０との噛合から離脱し、固定ブロックＢ２２が噛合歯車２３と噛み合い、スプラインスリーブ３１が下へ移動し、下方の伝動傘歯車Ｂ３０が接続傘歯車Ｂ４０と噛み合い、回転スリーブ５０が回転できなく、リール４２が回転でき、第一スライドロッド４５及びスライドロッドスリーブ５３が伸縮でき、始動スイッチ１２を押してモータ３６を始動し、スプライン軸３７とスプラインスリーブ３１とを連動させて回転させ、スプラインスリーブ３１が伝動傘歯車Ｂ３０を連動させて回転させ、伝動軸Ｂ４１が回転し始め、正逆翻転スイッチ１５によってモータ３６を制御して正逆回転させ、伝動軸Ｂ４１が回転して接続傘歯車Ｂ４０とリール４２とを連動させて回転させ、リール４２によって引縄４３の繰り入れと繰り出しを実現でき、引縄４３を繰り出す時、バネ４７の作用によって第一スライドロッド４５とスライドロッドスリーブ５３が突き出され、引縄４３を繰り入れる時、第一スライドロッド４５とスライドロッドスリーブ５３が引き戻される。
【００１８】
回転を制御する時、スライドブロック３５が上へスライドしてスプラインスリーブ３１を連動させて上へ移動させ、上方の伝動傘歯車Ｂ３０が伝動傘歯車Ａ２６と噛み合い、スライドブロック３５が固定ブロックＢ２２及び固定ブロックＡ４４を連動させて上へ移動させ、固定ブロックＢ２２が噛合歯車２３との噛合から離脱し、固定ブロックＡ４４が接続傘歯車Ｂ４０と噛み合い、回転スリーブ５０及び噛合歯車２３が回転でき、伝動軸Ｂ４１及びリール４２が回転できなく、モータ３６が起動して伝動傘歯車Ａ２６及び伝動軸Ａ２７を連動させて回転させ、伝動傘歯車Ａ２６が噛合を通じて回転軸２４と噛合歯車２３とを連動させて回転させ、噛合歯車２３が噛合を通じて回転スリーブ５０を連動させて回転させ、回転スリーブ５０がリミットブロックＢ５２及びスライドロッドスリーブ５３を連動させて回転させ、スライドロッドスリーブ５３が第一スライドロッド４５と携帯ホルダ１２とを連動させて回転させ、携帯を翻転することができる。
【００１９】
本発明の有益効果は：手動で伸縮機能又は翻転機能を選択でき、わざわざ調整しなくても便利に伸縮する距離を制御でき、しかもスクリーンを通じて携帯画面を見られ、遠くにいてもスクリーンを通じて撮影効果を確認でき、宣伝価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020160416.tif 000003
【図２】
2020160416.tif 000004
【図３】
2020160416.tif 000005
【図４】
2020160416.tif 000006
【図５】
2020160416.tif 000007
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
伸縮ロッドを含み、前記伸縮ロッドがハンドルを含み、前記ハンドルの中には上方に開口したスライドロッドチャンバが設けられ、前記スライドロッドチャンバの中には第一スライドロッドがスライドできるように取付けられ、前記第一スライドロッドの中には下方に開口したバネチャンバが設けられ、前記第一スライドロッドの外側には四つのスライドロッドスリーブがスライドできるように取付けられ、前記第一スライドロッドの左右両側の端面には一番内側の前記スライドロッドスリーブと相対的にスライドするリミットブロックＡが対称的に取付けられ、一番外側の前記スライドロッドスリーブの左右両側の端面にはリミットブロックＢが取付けられ、一番外側の前記スライドロッドスリーブの外側には回転スリーブがスライドできるように取付けられ、前記回転スリーブの中には前記リミットブロックＢと相対的にスライドするリミット溝が設けられ、前記ハンドルの中には前記回転スリーブの回転を制御する回転部品が設置され、前記回転部品が固定チャンバを含み、前記固定チャンバの下方には伝動チャンバＡが設けられ、前記固定チャンバの頂壁の中には前記伝動チャンバＡの中に進入する回転軸が回転できるように取付けられ、前記回転軸には前記回転スリーブと噛み合う噛合歯車が固定的に取付けられ、前記ハンドルの中には前記スライドロッドスリーブ及び前記第一スライドロッドの伸縮を制御する縄巻き部品が設置され、前記縄巻き部品が伝動チャンバＢを含み、前記伝動チャンバＢの左右壁の間には伝動軸Ｂが回転できるように取付けられ、前記伝動軸Ｂには接続傘歯車Ｂとリールが固定的に取付けられ、前記ハンドルの中には前記噛合歯車及び前記接続傘歯車Ｂと固定でき、回転を防止する固定部品が設置され、前記固定部品が前記ハンドルの左端面の中に位置するスライド溝を含み、前記スライド溝の中にはスライドブロックがスライドできるように取付けられ、前記スライドブロックの上下端面には第二スライドロッドが固定的に取付けられ、前記ハンドルの中には前記回転部品及び前記縄巻き部品の作動を制御する駆動部品が設置され、前記駆動部品が上下対称の伸縮チャンバを含み、上下両側の前記伸縮チャンバの間にはモータが固定的に取付けられ、前記モータの上下両側の出力軸にはスプライン軸が接続され、前記スプライン軸にはスプラインスリーブがスプラインによって係合取付けられ、上下両側の前記第二スライドロッドの右端面には前記スプラインスリーブのスライドを駆動できる接続軸が固定的に取付けられており、
前記伸縮ロッドはまた前記ハンドルの底部端面に固定的に取付けられる伝送ブロックを含み、前記伝送ブロックの底部がスクリーンと接続でき、前記第一スライドロッドの頂部端面には携帯ホルダが固定的に取付けられ、前記携帯ホルダと前記伝送ブロックとの間にはケーブルが接続され、前記ハンドルと前記携帯ホルダとの間にはイヤホンケーブルが接続され、前記ハンドルの左端面には撮影ボタンが固定的に取付けられ、前記ハンドルの右端面には右方に開口したバッテリーチャンバが設けられ、前記ハンドルの右端面には正逆翻転スイッチと始動スイッチとが固定的に取付けられ、スクリーンを通じて携帯画面を見られ、正逆翻転スイッチと始動スイッチを通じて伸縮と携帯の方向転換を制御でき、
前記回転部品はまた前記回転軸の端面に固定的に取付けられる接続傘歯車Ａを含み、前記伝動チャンバＡの左右壁の間には伝動軸Ａが回転できるように取付けられ、前記伝動軸Ａには伝動傘歯車Ａが固定的に取付けられ、前記伝動傘歯車Ａが前記接続傘歯車Ａと噛み合い、前記縄巻き部品がまた前記バネチャンバの上下内壁の間に固定的に取付けられるバネを含み、前記バネチャンバの頂壁には引縄が固定的に接続され、前記引縄が下へ前記伝動チャンバＢの中に入って前記リールに固定的に巻き付き、前記固定部品がまた下方の前記第二スライドロッドに固定的に取付けられる固定ブロックＡを含み、前記固定ブロックＡが前記接続傘歯車Ｂと噛み合うことができ、上方の前記第二スライドロッドの右端面には接続ロッドが固定的に取付けられ、前記接続ロッドの右端面には固定ブロックＢが固定的に取付けられ、前記固定ブロックＢが前記噛合歯車と噛み合うことができ、伝動軸Ａが回転すると、第一スライドロッドと携帯ホルダが駆動されて回転し、伝動軸Ｂが回転すると、接続傘歯車Ｂとリールとが連動して回転し、リールによって引縄の繰り入れ又は繰り出しができ、スライドブロックを上へスライドさせ、固定ブロックＢが噛合歯車との噛合から離脱し、固定ブロックＡが接続傘歯車Ｂと噛み合い、スライドブロックを下へスライドさせる時、固定ブロックＡが接続傘歯車Ｂとの噛合から離脱でき、
前記駆動部品はまた前記スプラインスリーブの端面に固定的に取付けられる伝動傘歯車Ｂを含み、上方の前記伝動傘歯車Ｂが前記伝動傘歯車Ａと噛み合うことができ、下方の前記伝動傘歯車Ｂが前記接続傘歯車Ｂと噛み合うことができ、前記スプラインスリーブの外側端面には取付け環状ブロックが固定的に取付けられ、前記接続軸の右端面にはリミットリングが固定的に取付けられ、前記リミットリングが前記環状ブロックとスライドできるように係合されることができ、スライドブロックが上へスライドした後に、モータが起動して伝動傘歯車Ａ及び伝動軸Ａが回転し始め、下に移動した後、モータが起動して接続傘歯車Ｂと伝動軸Ｂとが回転し始めることを特徴とする制御しやすい自撮り棒。
【手続補正２】
【補正対象書類名】明細書
【補正対象項目名】全文
【補正方法】変更
【補正の内容】
【発明の詳細な説明】
【技術分野】
【０００１】
本発明は自撮り棒分野に関し、具体的には制御しやすい自撮り棒である。
【背景技術】
【０００２】
現在、自撮り棒は撮影の補助グッズとして使われており、ほとんどは手動で伸縮具合を調節する必要があったり、適当な撮影距離を見つけるまで調節を重ねたり、携帯を自動的に回転できなかったり、撮影距離が長すぎると携帯画面をよく見られなかったり、というようないろいろな不便がある。
【先行技術文献】
【特許文献】
【０００３】
【特許文献１】中国特許出願公開第１０４８７９６３８号明細書
【発明の概要】
【発明が解決しようとする課題】
【０００４】
本発明の目的は制御しやすい自撮り棒を提供し、それは上記の現在の技術中の問題を解決できる。
【課題を解決するための手段】
【０００５】
本発明は以下の技術プランを通じて実現する：本発明の制御しやすい自撮り棒は、伸縮ロッドを含み、前記伸縮ロッドがハンドルを含み、前記ハンドルの中には上方に開口したスライドロッドチャンバが設けられ、前記スライドロッドチャンバの中には第一スライドロッドがスライドできるように取付けられ、前記第一スライドロッドの中には下方に開口したバネチャンバが設けられ、前記第一スライドロッドの外側には四つのスライドロッドスリーブがスライドできるように取付けられ、前記第一スライドロッドの左右両側の端面には一番内側の前記スライドロッドスリーブと相対的にスライドするリミットブロックＡが対称的に取付けられ、一番外側の前記スライドロッドスリーブの左右両側の端面にはリミットブロックＢが取付けられ、一番外側の前記スライドロッドスリーブの外側には回転スリーブがスライドできるように取付けられ、前記回転スリーブの中には前記リミットブロックＢと相対的にスライドするリミット溝が設けられ、前記ハンドルの中には前記回転スリーブの回転を制御する回転部品が設置され、前記回転部品が固定チャンバを含み、前記固定チャンバの下方には伝動チャンバＡが設けられ、前記固定チャンバの頂壁の中には前記伝動チャンバＡの中に進入する回転軸が回転できるように取付けられ、前記回転軸には前記回転スリーブと噛み合う噛合歯車が固定的に取付けられ、前記ハンドルの中には前記スライドロッドスリーブ及び前記第一スライドロッドの伸縮を制御する縄巻き部品が設置され、前記縄巻き部品が伝動チャンバＢを含み、前記伝動チャンバＢの左右壁の間には伝動軸Ｂが回転できるように取付けられ、前記伝動軸Ｂには接続傘歯車Ｂとリールが固定的に取付けられ、前記ハンドルの中には前記噛合歯車及び前記接続傘歯車Ｂと固定でき、回転を防止する固定部品が設置され、前記固定部品が前記ハンドルの左端面の中に位置するスライド溝を含み、前記スライド溝の中にはスライドブロックがスライドできるように取付けられ、前記スライドブロックの上下端面には第二スライドロッドが固定的に取付けられ、前記ハンドルの中には前記回転部品及び前記縄巻き部品の作動を制御する駆動部品が設置され、前記駆動部品が上下対称の伸縮チャンバを含み、上下両側の前記伸縮チャンバの間にはモータが固定的に取付けられ、前記モータの上下両側の出力軸にはスプライン軸が接続され、前記スプライン軸にはスプラインスリーブがスプラインによって係合取付けられ、上下両側の前記第二スライドロッドの右端面には前記スプラインスリーブのスライドを駆動できる接続軸が固定的に取付けられる。
【０００６】
優選的には、前記伸縮ロッドはまた前記ハンドルの底部端面に固定的に取付けられる伝送ブロックを含み、前記伝送ブロックの底部がスクリーンと接続でき、前記第一スライドロッドの頂部端面には携帯ホルダが固定的に取付けられ、前記携帯ホルダと前記伝送ブロックとの間にはケーブルが接続され、前記ハンドルと前記携帯ホルダとの間にはイヤホンケーブルが接続され、前記ハンドルの左端面には撮影ボタンが固定的に取付けられ、前記ハンドルの右端面には右方に開口したバッテリーチャンバが設けられ、前記ハンドルの右端面には正逆翻転スイッチと始動スイッチとが固定的に取付けられる。
【０００７】
優選的には、前記回転部品はまた前記回転軸の端面に固定的に取付けられる接続傘歯車Ａを含み、前記伝動チャンバＡの左右壁の間には伝動軸Ａが回転できるように取付けられ、前記伝動軸Ａには伝動傘歯車Ａが固定的に取付けられ、前記伝動傘歯車Ａが前記接続傘歯車Ａと噛み合い、前記縄巻き部品がまた前記バネチャンバの上下内壁の間に固定的に取付けられるバネを含み、前記バネチャンバの頂壁には引縄が固定的に接続され、前記引縄が下へ前記伝動チャンバＢの中に入って前記リールに固定的に巻き付き、前記固定部品がまた下方の前記第二スライドロッドに固定的に取付けられる固定ブロックＡを含み、前記固定ブロックＡが前記接続傘歯車Ｂと噛み合うことができ、上方の前記第二スライドロッドの右端面には接続ロッドが固定的に取付けられ、前記接続ロッドの右端面には固定ブロックＢが固定的に取付けられ、前記固定ブロックＢは前記噛合歯車と噛み合うことができる。
【０００８】
優選的には、前記駆動部品はまた前記スプラインスリーブの端面に固定的に取付けられる伝動傘歯車Ｂを含み、上方の前記伝動傘歯車Ｂが前記伝動傘歯車Ａと噛み合うことができ、下方の前記伝動傘歯車Ｂが前記接続傘歯車Ｂと噛み合うことができ、前記スプラインスリーブの外側端面には取付け環状ブロックが固定的に取付けられ、前記接続軸の右端面にはリミットリングが固定的に取付けられ、前記リミットリングが前記環状ブロックとスライドできるように係合されることができる。
【発明の効果】
【０００９】
本発明の有益効果は：手動で伸縮機能又は翻転機能を選択でき、わざわざ調整しなくても便利に伸縮する距離を制御でき、しかもスクリーンを通じて携帯画面を見られ、遠くにいてもスクリーンを通じて撮影効果を確認でき、宣伝価値がある。
【図面の簡単な説明】
【００１０】
【図１】図１は本発明の全体構成略図である。
【図２】図２は図１のＡの拡大略図である。
【図３】図３は図１のＢの拡大略図である。
【図４】図４は図１のＣの拡大略図である。
【図５】図５は図２のＤの拡大略図である。
【発明を実施するための形態】
【００１１】
下記に図１−５を合わせて本発明について詳しく説明する。説明の便利と意思疎通を図るために、下記に記載の上下左右前後方向は図１自身の投影関係の上下左右前後方向と一致している。
【００１２】
図１−５を参照し、本発明の実施例の制御しやすい自撮り棒は、伸縮ロッド９０１を含み、前記伸縮ロッド９０１がハンドル１８を含み、前記ハンドル１８の中には上方に開口したスライドロッドチャンバ４８が設けられ、前記スライドロッドチャンバ４８の中には第一スライドロッド４５がスライドできるように取付けられ、前記第一スライドロッド４５の中には下方に開口したバネチャンバ４６が設けられ、前記第一スライドロッド４５の外側には四つのスライドロッドスリーブ５３がスライドできるように取付けられ、前記第一スライドロッド４５の左右両側の端面には一番内側の前記スライドロッドスリーブ５３と相対的にスライドするリミットブロックＡ５４が対称的に取付けられ、一番外側の前記スライドロッドスリーブ５３の左右両側の端面にはリミットブロックＢ５２が取付けられ、一番外側の前記スライドロッドスリーブ５３の外側には回転スリーブ５０がスライドできるように取付けられ、前記回転スリーブ５０の中には前記リミットブロックＢ５２と相対的にスライドするリミット溝５１が設けられ、前記ハンドル１８の中には前記回転スリーブ５０の回転を制御する回転部品９０２が設置され、前記回転部品９０２が固定チャンバ２０を含み、前記固定チャンバ２０の下方には伝動チャンバＡ２８が設けられ、前記固定チャンバ２０の頂壁の中には前記伝動チャンバＡ２８の中に進入する回転軸２４が回転できるように取付けられ、前記回転軸２４には前記回転スリーブ５０と噛み合う噛合歯車２３が固定的に取付けられ、前記ハンドル１８の中には前記スライドロッドスリーブ５３及び前記第一スライドロッド４５の伸縮を制御する縄巻き部品９０３が設置され、前記縄巻き部品９０３が伝動チャンバＢ３８を含み、前記伝動チャンバＢ３８の左右壁の間には伝動軸Ｂ４１が回転できるように取付けられ、前記伝動軸Ｂ４１には接続傘歯車Ｂ４０とリール４２が固定的に取付けられ、前記ハンドル１８の中には前記噛合歯車２３及び前記接続傘歯車Ｂ４０と固定でき、回転を防止する固定部品９０４が設置され、前記固定部品９０４が前記ハンドル１８の左端面の中に位置するスライド溝３４を含み、前記スライド溝３４の中にはスライドブロック３５がスライドできるように取付けられ、前記スライドブロック３５の上下端面には第二スライドロッド３２が固定的に取付けられ、前記ハンドル１８の中には前記回転部品９０２及び前記縄巻き部品９０３の作動を制御する駆動部品９０５が設置され、前記駆動部品９０５が上下対称の伸縮チャンバ８０を含み、上下両側の前記伸縮チャンバ８０の間にはモータ３６が固定的に取付けられ、前記モータ３６の上下両側の出力軸にはスプライン軸３７が接続され、前記スプライン軸３７にはスプラインスリーブ３１がスプラインによって係合取付けられ、上下両側の前記第二スライドロッド３２の右端面には前記スプラインスリーブ３１のスライドを駆動できる接続軸３９が固定的に取付けられる。
【００１３】
前記伸縮ロッド９０１はまた前記ハンドル１８の底部端面に固定的に取付けられる伝送ブロック１６を含み、前記伝送ブロック１６の底部がスクリーン１７と接続でき、前記第一スライドロッド４５の頂部端面には携帯ホルダ１２が固定的に取付けられ、前記携帯ホルダ１２と前記伝送ブロック１６との間にはケーブル１１が接続され、前記ハンドル１８と前記携帯ホルダ１２との間にはイヤホンケーブル１０が接続され、前記ハンドル１８の左端面には撮影ボタン１３が固定的に取付けられ、前記ハンドル１８の右端面には右方に開口したバッテリーチャンバ８１が設けられ、前記ハンドル１８の右端面には正逆翻転スイッチ１５と始動スイッチ１４とが固定的に取付けられ、スクリーン１７を通じて携帯画面を見られ、正逆翻転スイッチ１５と始動スイッチ１４を通じて伸縮と携帯の方向転換を制御できる。
【００１４】
前記回転部品９０２はまた前記回転軸２４の端面に固定的に取付けられる接続傘歯車Ａ２５を含み、前記伝動チャンバＡ２５の左右壁の間には伝動軸Ａ２７が回転できるように取付けられ、前記伝動軸Ａ２７には伝動傘歯車Ａ２６が固定的に取付けられ、前記伝動傘歯車Ａ２６が前記接続傘歯車Ａ２５と噛み合い、前記縄巻き部品９０３がまた前記バネチャンバ４６の上下内壁の間に固定的に取付けられるバネ４７を含み、前記バネチャンバ４６の頂壁には引縄４３が固定的に接続され、前記引縄４３が下へ前記伝動チャンバＢ３８の中に入って前記リール４２に固定的に巻き付き、前記固定部品９０４がまた下方の前記第二スライドロッド３２に固定的に取付けられる固定ブロックＡ４４を含み、前記固定ブロックＡ４４が前記接続傘歯車Ｂ４０と噛み合うことができ、上方の前記第二スライドロッド３２の右端面には接続ロッド２１が固定的に取付けられ、前記接続ロッド２１の右端面には固定ブロックＢ２２が固定的に取付けられ、前記固定ブロックＢ２２が前記噛合歯車２３と噛み合うことができ、伝動軸Ａ２７が回転すると、第一スライドロッド４５と携帯ホルダ１２が駆動されて回転し、伝動軸Ｂ４１が回転すると、接続傘歯車Ｂ４０とリール４２とが連動して回転し、リール４２によって引縄４３の繰り入れ又は繰り出しができ、スライドブロック３５を上へスライドさせ、固定ブロックＢ２２が噛合歯車２３との噛合から離脱し、固定ブロックＡ４４が接続傘歯車Ｂ４０と噛み合い、スライドブロック３５を下へスライドさせる時、固定ブロックＡ４４が接続傘歯車Ｂ４０との噛合から離脱する。
【００１５】
前記駆動部品９０５はまた前記スプラインスリーブ３１の端面に固定的に取付けられる伝動傘歯車Ｂ３０を含み、上方の前記伝動傘歯車Ｂ３０が前記伝動傘歯車Ａ２６と噛み合うことができ、下方の前記伝動傘歯車Ｂ３０が前記接続傘歯車Ｂ４０と噛み合うことができ、前記スプラインスリーブ３１の外側端面には取付け環状ブロック５５が固定的に取付けられ、前記接続軸３９の右端面にはリミットリング５６が固定的に取付けられ、前記リミットリング５６が前記環状ブロック５５とスライドできるように係合されることができ、スライドブロック３５が上へスライドした後に、モータ３６が起動して伝動傘歯車Ａ２６及び伝動軸Ａ２７が回転し始め、下に移動した後、モータ３６が起動して接続傘歯車Ｂ４０と伝動軸Ｂ４１とが回転し始める。
【００１６】
使用する時、携帯ホルダによって携帯を挟持し、イヤホンケーブル１０を携帯イヤホンジャックと接続させ、ケーブル１１を携帯の充電ジャックと接続させる。
【００１７】
伸縮も回転も発生しない場合、モータ３６が静止状態にあり、この時スライドブロック３５がスライド溝３４の中で最大程度で下降し、固定ブロックＢ２２と噛合歯車２３とが噛合歯車２３を回転させないように連結されており、固定ブロックＡ４４が接続傘歯車Ｂ４０から離脱しており、伝動傘歯車３０が接続傘歯車Ｂ４０に噛み合うように連結されており、
伸縮を制御する時、下へスライドブロック３５をスライドさせ、これにより固定ブロックＡ４４が接続傘歯車Ｂ４０との噛合から離脱し、固定ブロックＢ２２が噛合歯車２３と噛み合い、スプラインスリーブ３１が下へ移動し、下方の伝動傘歯車Ｂ３０が接続傘歯車Ｂ４０と噛み合い、回転スリーブ５０が回転できなく、リール４２が回転でき、第一スライドロッド４５及びスライドロッドスリーブ５３が伸縮でき、始動スイッチ１２を押してモータ３６を始動し、スプライン軸３７とスプラインスリーブ３１とを連動させて回転させ、スプラインスリーブ３１が伝動傘歯車Ｂ３０を連動させて回転させ、伝動軸Ｂ４１が回転し始め、正逆翻転スイッチ１５によってモータ３６を制御して正逆回転させ、伝動軸Ｂ４１が回転して接続傘歯車Ｂ４０とリール４２とを連動させて回転させ、リール４２によって引縄４３の繰り入れと繰り出しを実現でき、引縄４３を繰り出す時、バネ４７の作用によって第一スライドロッド４５とスライドロッドスリーブ５３が突き出され、引縄４３を繰り入れる時、第一スライドロッド４５とスライドロッドスリーブ５３が引き戻される。
【００１８】
回転を制御する時、スライドブロック３５が上へスライドしてスプラインスリーブ３１を連動させて上へ移動させ、上方の伝動傘歯車Ｂ３０が伝動傘歯車Ａ２６と噛み合い、スライドブロック３５が固定ブロックＢ２２及び固定ブロックＡ４４を連動させて上へ移動させ、固定ブロックＢ２２が噛合歯車２３との噛合から離脱し、固定ブロックＡ４４が接続傘歯車Ｂ４０と噛み合い、回転スリーブ５０及び噛合歯車２３が回転でき、伝動軸Ｂ４１及びリール４２が回転できなく、モータ３６が起動して伝動傘歯車Ａ２６及び伝動軸Ａ２７を連動させて回転させ、伝動傘歯車Ａ２６が噛合を通じて回転軸２４と噛合歯車２３とを連動させて回転させ、噛合歯車２３が噛合を通じて回転スリーブ５０を連動させて回転させ、回転スリーブ５０がリミットブロックＢ５２及びスライドロッドスリーブ５３を連動させて回転させ、スライドロッドスリーブ５３が第一スライドロッド４５と携帯ホルダ１２とを連動させて回転させ、携帯を翻転することができる。
【００１９】
本発明の有益効果は：手動で伸縮機能又は翻転機能を選択でき、わざわざ調整しなくても便利に伸縮する距離を制御でき、しかもスクリーンを通じて携帯画面を見られ、遠くにいてもスクリーンを通じて撮影効果を確認でき、宣伝価値がある。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。